(57)【要約】【課題】指針と表示板を共有の光源で照明可能な照明装置を得ること。【解決手段】計器本体の指針軸２１に連結されて軸回り回転する指針３と、この指針３の指示対象となる指標部が形成された表示板４と、この表示板４の背後に配置される光源６と、指針軸２１を取り巻くように設けられ光源６からの光を指針３に導く筒状の導光体５とを備えた照明装置において、光源６は導光体５を通じて指標部を照明できるようにその光軸中心６ａを指針軸２１もしくは指針軸２１のラジアル方向に位置する導光体５の外周部に向けて配置され、導光体５は光源６からの光を拡散して指針３及び指標部に導く半透過性部材からなる。【選択図】図１
2010175366.tif 000002
【特許請求の範囲】
【請求項１】
計器本体の指針軸に連結されて軸回り回転する指針と、この指針の指示対象となる指標部が形成された表示板と、この表示板の背後に配置される光源と、前記指針軸を取り巻くように設けられ前記光源からの光を前記指針に導く筒状の導光体とを備えた照明装置において、前記光源は前記導光体を通じて前記指標部を照明できるようにその光軸中心を前記指針軸もしくは前記指針軸のラジアル方向に位置する前記導光体の外周部に向けて配置され、前記導光体は前記光源からの光を拡散して前記指針及び前記指標部に導く半透過性部材からなることを特徴とする照明装置。
【請求項２】
前記光源が前記指針軸を中心とした同心円上に複数個配置されることを特徴とする請求項１記載の照明装置。
【発明の詳細な説明】
【技術分野】
【０００１】
本発明は、例えば車両用計器に適用される導光部材を用いた照明装置に関するものである。
【背景技術】
【０００２】
この種の照明装置として、例えば下記特許文献１に記載のものがある。この照明装置は、発光ダイオードからなる光源と、この光源からの光を受けて発光する透光性材料からなる指針と、この指針と前記光源との間であって指針の回転軸線を取り巻くように設けられ、光源からの光を指針に導くリング状導光体とを備えている。リング状導光体は光源に対面する入光面と、指針側を向く出光面とを有し、入光面に対向するように複数の光源が配置されるとともに、出光面には各光源の各々に対応した複数の凸レンズ面が形成されており、この凸レンズにて光を集光して指針に照射する構成である。
【先行技術文献】
【特許文献】
【０００３】
【特許文献１】特開２００１−３１１６３３号公報
【発明の概要】
【発明が解決しようとする課題】
【０００４】
しかしながら、特許文献１記載の照明装置では、リング状導光体が指針のみを照明する構成であるため、表示板を照明するには、表示板用の光源を別途配置する必要があった。
【０００５】
本発明は、この様な点に鑑みなされたもので、指針と表示板を共有の光源で照明可能な照明装置を提供することを目的とする。
【課題を解決するための手段】
【０００６】
本発明は前記課題を解決するため、計器本体の指針軸に連結されて軸回り回転する指針と、この指針の指示対象となる指標部が形成された表示板と、この表示板の背後に配置される光源と、前記指針軸を取り巻くように設けられ前記光源からの光を前記指針に導く筒状の導光体とを備えた照明装置において、前記光源は前記導光体を通じて前記指標部を照明できるようにその光軸中心を前記指針軸もしくは前記指針軸のラジアル方向に位置する前記導光体の外周部に向けて配置され、前記導光体は前記光源からの光を拡散して前記指針及び前記指標部に導く半透過性部材からなることを特徴とする。
【０００７】
また本発明は、前記光源が前記指針軸を中心とした同心円上に複数個配置されることを特徴とする。
【発明の効果】
【０００８】
指針と表示板を共有の光源で照明可能な照明装置を得ることができる。
【図面の簡単な説明】
【０００９】
【図１】本発明の第１の実施形態を示す照明装置の断面図。
【図２】同上の第２の実施形態を示す照明装置の断面図。
【発明を実施するための形態】
【００１０】
本発明の実施の形態を添付図面に基づいて説明する。
【００１１】
本実施形態における照明装置は、回路基板１と、ステッピングモータ２と、指針３と、表示板４と、導光体５と、光源６とから主に構成される。
【００１２】
回路基板１は、例えばガラスエポシキ樹脂からなる周知の硬質基板であり、その表面には図示しない回路パターンや回路素子などが実装されている。回路基板１の背後面にはステッピングモータ２が備えられ、そのステッピングモータ（計器本体）２から回路基板１の貫通孔を貫通して延びる指針軸２１の先端には指針３が装着される。
【００１３】
指針３は、図１に示すように、遮光性合成樹脂からなる指針キャップ３１によって一部が覆われる透光性合成樹脂からなり、表示板４に設けられた図示しない指標部を指示するための指示部３２を有する。指針３は、光源６の光を受光する受光部３３と、この受光部３３から受光した光を指示部３２に向けて反射する指針反射部３４とを備えている。
【００１４】
表示板４は、スクリーン印刷やデジタル印刷等の印刷手法によって、指針３の指示対象となる光透過性の指標部（図示しないが、通常、目盛や数字等からなる）が形成された周知な印刷表示板からなり、指針３と回路基板１との間であって、回路基板１を覆うように配置されている。
【００１５】
導光体５は、例えば白色顔料もしくは光拡散粒子を混入することにより光拡散性を付与した白濁色の半透過性合成樹脂からなり、図１に示すように、指針３と回路基板１との間に設けられる。また図２に示すように、その径方向の断面が円形又は楕円形又は多角形であり、その中心に指針軸２１が貫通するための貫通孔を有している。
【００１６】
また導光体５は、指針軸２１のラジアル方向外周部を取り巻く筒形からなる導光部５１と、この導光部５１の回路基板１に面する側に設けられる底部５２と、この底部５２と対向する箇所に設けられ導光体５に導入した光を照射するための出光面５３とから構成される。
【００１７】
出光面５３は、受光部３３に対応する箇所に設けられ、入光面５２から入光した光を指針キャップ３１内の受光部３３へと出光させるものである。
【００１８】
光源６は、導光体５の外周に配置された例えば発光ダイオードからなり、回路基板１の指針軸２１を中心とした同心円上に、この場合例えば３個、等間隔に設けられている。点光源であるこれら光源６の照射範囲（指向角）は、所定の角度に設定され、その照射範囲の中心軸である光軸中心６ａは、指針軸２１の軸方向と直行する指針３の回転平面（回路基板１の基板面）と平行に延び、指針軸２１の位置に向けられている。
【００１９】
このように構成された実施形態においては、光源６から出射される光は、指針軸３２方向に放射され、その光の一部は指針軸２１のラジアル方向に位置する導光体５（導光部５１）の外周部から入光し、半透過性の導光体５内に取り込まれる。このように導光体５内に取り込まれた光は、拡散されながら導光体５内を進んで出光面５３から出射した光は受光部３３に受光され、指針反射部３４にて指示部３２方向へ反射されて、指針３の指示部３２が照明される。
【００２０】
また、光源６から出射される光の一部は、指針軸２１のラジアル方向に位置する導光体５の外周部を通じて一旦導光体５内に取り込まれた後、導光体５を拡散透過し、この拡散透過した光が空間部Ｓを進んで表示板４の指標部を照明する。
【００２１】
この様に、本実施形態では計器本体の指針軸に連結されて軸回り回転する指針と、この指針の指示対象となる指標部が形成された表示板と、この表示板の背後に配置される光源と、前記指針軸を取り巻くように設けられ前記光源からの光を前記指針に導く筒状の導光体とを備えた照明装置において、前記光源は前記導光体を通じて前記指標部を照明できるようにその光軸中心を前記指針軸もしくは前記指針軸のラジアル方向に位置する前記導光体の外周部に向けて配置され、前記導光体は前記光源からの光を拡散して前記指針及び前記指標部に導く半透過性部材からなるため、指針３及び表示板４を共有の光源で照射することができる。
【００２２】
また本実施形態では、光源６が指針軸２１を中心とした同心円上に複数個配置されることにより指針３及び表示板４を効率よく照明することができる。
【００２３】
また本実施形態では、光源６で指針３と表示板４とを照明する場合を示したが、第２の実施形態として図２に示すように、単独の光源６だけで指針３と表示板４と表示板４に設けられた液晶パネル７などを照明してもよい。この場合、光源６は液晶パネル７とは指針軸２１を挟んで反対側に配置するのが有利である。
【００２４】
なお、図１に示すように、本実施形態においては、回路基板１と導光体５との間に隙間を設けて配置してあるが、導光体５を回路基板１に当接する構造としてもよいし、又はステッピングモータ２と導体回転する構成としてもよい。
【００２５】
また本実施形態では光源６の光軸中心６ａを指針軸２１に向けたが、必ずしもピンポイントで指針軸２１に向けなくてもよく、指針軸２１のラジアル方向に位置する導光体５の外周部に向けて配置されていればよい。但し光の利用効率等を考えると指針軸２１に向けるのが有利である。
【符号の説明】
【００２６】
１      回路基板
２      ステッピングモータ
３      指針
４      表示板
５      導光体
６      光源
６ａ    光軸中心
７      液晶表示パネル
２１    指針軸
３１    指針キャップ
３２    指示部
３３    受光部
３４    指針反射部
４１    表示部
５１    導光部
５２    入光面
５３    出光面
５４    下側反射面
Ｓ      空間Ｓ
【図１】
2010175366.tif 000003
【図２】
2010175366.tif 000004